(57)【要約】【課題】  針あるいは薄板刃物が、用紙を貫通して容器内の糊部分に達し、針あるいは薄板刃物が復帰する時に用紙の穴あるいは切り口の内側に糊を塗布する用紙綴じ装置では、装置に付着した糊の乾燥により装置の一部が接着状態となる、用紙の綴じ枚数が多い場合あるいは硬い用紙を綴じようとする場合に針あるいは薄板刃物を引き抜く力が過大となって装置が所期の位置に戻らない状態となる不具合があった。【解決手段】  針あるいは薄板刃物が取り付けられた駆動桿と用紙の押え、押えと糊容器のいずれかあるいは両方ともに双方を強制的に離間させる手段を備えた構造とした。【選択図】図１
2005111965.tif 000002
【特許請求の範囲】
【請求項１】
液状糊の容器と、前記容器上に用紙を保持する押えと、移動可能な駆動桿に取り付けられた針あるいは薄板刃物より構成され、前記針あるいは薄板刃物が前記用紙を貫通して前記容器内の糊部分に達する用紙綴じ装置において、前記駆動桿と前記押え、前記押えと前記糊容器のいずれかあるいは両方ともに双方を強制的に離間させる手段を備えた構造としたことを特長とする用紙綴じ装置。
【発明の詳細な説明】
【技術分野】
【０００１】  本発明は、糊を用いて複数枚の用紙を綴じる装置に関する。
【背景技術】
【０００２】  従来の用紙綴じ装置には、穿孔針の外周に付与された接着剤が、孔の形成と同時あるいは穿孔針の引き抜き時に用紙に移転されるもの（例えば、特許文献１参照）あるいは、薄板刃物が用紙を貫通して容器内の糊部分に達し、薄板刃物が復帰する時に用紙切り口の内側に糊を塗布するもの（例えば、特許文献２参照）がある。
（特許文献１および２は、いずれも本出願人が出願したものである。）
【特許文献１】特願２００３−６８８９３号
【特許文献２】特願２００３−３２２２３７号
【発明の開示】
【発明が解決しようとする課題】
【０００３】  いずれの用紙綴じ装置においても、針あるいは薄板刃物を保持する駆動桿、用紙を固定する押え、糊容器の三つの部材は、それぞれ独立して移動可能であり、一連の手順によって用紙の綴じ作業を行うためには、これらの部材は所定の位置を保たなくてはならないが、貫通した用紙から針あるいは薄板刃物を引き抜く抵抗や、各部に残存した糊の乾燥により所期の位置を保つことができない不都合を生じる場合がある。【０００４】  以下、図７〜９により、この問題点について説明すると、従来の用紙綴じ装置は、薄板刃物３０を保持する駆動桿３１、用紙３２を固定する押え３３、糊容器３４を有しており、（１）糊容器３４と押え３３の間に綴ろうとする用紙３２を挿入する、（２）駆動桿３１を押して薄板刃物３０を用紙３２に貫通させ、薄板刃物３０の先端を糊容器３４中の糊に浸す、（４）駆動桿３１に加えている力を除くと薄板刃物３０は、ばね３５によって元の位置に復帰し、その時に用紙３２の切れ目内に糊を塗布する、（５）用紙３２を引き抜くの順に操作を行う。【０００５】  使用後に残存した糊が乾燥すると、図８示す状態のまま、しばしば糊容器３４と押え３３が接着された状態となって、この間に用紙を挿入し難い場合を生じる。【０００６】  用紙の重ね枚数が多い場合や紙質が硬い場合には、図９に示すように、貫通した薄板刃物３０を引き抜くために要する力が増大して、ばね３５の力だけでは復帰できないことがある。【０００７】  このためにばねの力を強くすると、通常の使用時、駆動桿を操作するために必要な力が増大して、使い辛くなる。【０００８】  以上は、薄板刃物を使用する場合について説明したが、針を用いる場合でも同様である。
【課題を解決するための手段】
【０００９】    液状糊の容器と、前記容器上に用紙を保持する押えと、移動可能な駆動桿に取り付けられた針あるいは薄板刃物より構成され、前記針あるいは薄板刃物が前記用紙を貫通して前記容器内の糊部分に達する用紙綴じ装置において、駆動桿と押え、押えと糊容器のいずれかあるいは両方ともに双方を強制的に離間させる手段を備えた構造とした。
【発明の効果】
【００１０】  上述したように、本発明の用紙綴じ装置では、針あるいは薄板刃物を引き抜く力がばねの復帰力に対して過大となった場合や不使用期間を経て残存糊が固化した場合でも、必要に応じて強制離間手段を使用することで、滞りなく綴じ作業を行うことができる。
【発明を実施するための最良の形態】
【００１１】  以下、本発明の実施の形態を図１〜図６に基づいて説明する。
【実施例１】
【００１２】  図１〜図３は、本発明の実施例１を示し、薄板刃物１０が固定された駆動桿１１と用紙１２を押える押え１３は、糊容器１４を含む本体上に、それぞれ別々に回転可能に取り付けられており、図１と図２は、ばね１５によって駆動桿１１が開いた位置にあって、同時に押え１２を糊容器１４側に押し付けている状態を示している。【００１３】  用紙１２を押え１３と糊容器１４の上面の間に差し込み、薄板刃物１０を用紙１２に貫通させ、次いで抜き取るときに、薄板刃物１０の両面に付着した糊が用紙１２の切れ目に転写されて用紙１２が綴じられるが、不使用状態が続くと、押え１３と糊容器１４上面の間に、前回使用したとき残存した糊が乾燥して容易には用紙１２を差し込むことができない場合を生じることがある。【００１４】  糊の量は微量であり、また紙の接着に使用される糊は、押え１３や糊容器１４の材質として使用される金属や樹脂に対する接着力は弱いのであるが、用紙１２を差し込むときの障害にはなるので、このような場合、本発明の用紙綴じ装置では、レバー１６を矢印Ａの方向へ廻せば、内部の偏心カム１７は押え１３が糊容器１４から離間するように働いて、用紙１２を容易に差し込むことができる状態となる。【００１５】  次に、図３は、薄板刃物１０が用紙１２を貫通して、その先端が糊容器１４の内部に達した状態を示している。【００１６】  用紙１２の枚数が少ない、あるいは柔らかい紙質の場合は、ばね１５の力によって駆動桿１１が糊容器１４側から離れて、図１あるいは図２に示した位置へ復帰するが、用紙１２の重ね枚数が多い場合や、紙質が硬い場合には、薄板刃物１０を用紙１２から抜き取るための力がばね１５の復帰力を上回って、図３に示す状態のままとなる場合がある。【００１７】  ばね１５をより強力なものとすれば、このような不具合を生じることはないが、通常の使用時に、薄板刃物１０を駆動するための力が過大となれば、特に力の弱い使用者にとっては使い辛いものとなってしまう。【００１８】  このような場合、本発明の用紙閉じ装置では、レバー１８を矢印Ｂの方向へ廻せば、内部の偏心カム１９は駆動桿１１と押え１３を離間させるように働くので用紙１２を抜き取ることが可能となる。
【実施例２】
【００１９】  図４〜図６は、本発明の実施例２を示し、押え２３は、側方への突出部２６を備えており、また薄板刃物２０を保持する駆動桿２１には、不使用時に装置を閉じた状態で固定しておくためのフック２７が取り付けられている。【００２０】  図４あるいは図５において、押え２３と糊容器２４上面の間に、前回使用したとき残存した糊が乾燥して容易には用紙２２を差し込むことができない状態を生じた場合には、押え２３の突出部２６を指頭で矢印Ｃの方向に押し上げることにより、用紙２２の差し込みを容易に行うことができる状態とする。【００２１】  用紙２２から抜き取るための力がばね２５の復帰力を上回って、図６に示す状態のままとなる場合には、フック２７を矢印Ｄの方向に廻すことによって、フック２７の折り曲げ部２８が押え２３に干渉して、駆動桿２１を押え２３から離間させて、図４あるいは図５に示す位置へ復帰させる。【００２２】  実施例１、実施例２ともに、薄板刃物を用いるものについて説明したが、針によって用紙に穿孔するものについてもまったく同様である。
【図面の簡単な説明】
【００２２】
【図１】本発明の実施例１を示す斜視図
【図２】図１の側面図
【図３】駆動桿を押し込んだ状態を示す側面図
【図４】本発明の実施例２を示す斜視図
【図５】図４の側面図
【図６】駆動桿を押し込んだ状態を示す側面図
【図７】従来の用紙綴じ装置を示す斜視図
【図８】図７の側面図
【図９】駆動桿を押し込んだ状態を示す側面図
【符号の説明】
【００２３】  １０、２０、３０          薄板刃物
１１、２１、３１          駆動桿
１３、２３、３３          押え
１４、２４、３４          糊容器
１５、２５、３５          ばね
１６、１８                レバー
１７、１９                偏心カム
２６                      突起
２７                      フック
２８                      折り曲げ部
【図１】
2005111965.tif 000003
【図２】
2005111965.tif 000004
【図３】
2005111965.tif 000005
【図４】
2005111965.tif 000006
【図５】
2005111965.tif 000007
【図６】
2005111965.tif 000008
【図７】
2005111965.tif 000009
【図８】
2005111965.tif 000010
【図９】
2005111965.tif 000011